(57)【特許請求の範囲】
【請求項１】
時間的に１画面ずつ連続して入力されるＩＰ変換されたプログレッシブ画像である入力画像に対し、
前記入力画像の前画面の画像を蓄える画像記憶手段と、
現画面の画像と前記前画面の画像との差分を計算する差分計算手段と、
閾値１と前記差分計算手段の出力を比較した結果を出力する第１の比較手段と、
前記第１の比較手段の出力を１画面分積算して出力する積算手段を搭載したフィルムモード判定装置において、
前記積算手段の出力を所定の画面数平均化する平均化手段と、
前記平均化手段の出力値が異常値である場合に該値を適正な値に補正する第１の誤判定防止手段と、
前記平均化手段の出力と前記積算手段の出力を比較する第２の比較手段と、
前記第２の比較手段の出力を所定の画面数蓄える判定結果記憶手段と、
前記判定結果記憶手段の内容より画像の相関を判定する相関判定手段とを備え、
前記入力画像が３２プルダウン信号か２２プルダウン信号かビデオ信号かを判定することを特徴とするフィルムモード判定装置。
【請求項２】
請求項１に記載のフィルムモード判定装置において、前記相関判定手段の出力の誤判定時にそのモードを維持する第２の誤判定防止手段を設けることを特徴とするフィルムモード判定装置。
【請求項３】
請求項１に記載のフィルムモード判定装置において、パラメータ制御手段を設け、前記パラメータ制御手段により前記第１の比較手段の閾値１を変えることができるようにしたことを特徴とするフィルムモード判定装置。
【請求項４】
請求項１に記載のフィルムモード判定装置において、パラメータ制御手段を設け、前記
平均化手段の平均化する画面数を変えることができるようにしたことを特徴とするフィルムモード判定装置。
【請求項５】
請求項１に記載のフィルムモード判定装置において、パラメータ制御手段を設け、前記パラメータ制御手段により３２プルダウン信号、２２プルダウン信号、ビデオ信号の判定画面数をそれぞれ変えることができるようにしたことを特徴とするフィルムモード判定装置。
【請求項６】
請求項１に記載のフィルムモード判定装置において、パラメータ制御手段を設け、前記パラメータ制御手段により前記第１の誤判定防止手段の補正値を変えることができるようにしたことを特徴とするフィルムモード判定装置。
【請求項７】
時間的に１画面ずつ連続して入力されるＩＰ変換されたプログレッシブ画像である入力画像に対し、
前記入力画像の前画面の画像を画像記憶手段に蓄え、
現画面の画像と前記前画面の画像との差分を差分計算手段により計算し、
閾値１と前記差分計算手段の出力を比較した結果を第１の比較手段により出力し、
前記第１の比較手段の出力を積算手段により１画面分積算して出力するフィルムモード判定方法において、
前記積算手段の出力を平均化手段により所定の画面数平均化し、
前記平均化手段の出力値が異常値である場合に第１の誤判定防止手段により該値を適正な値に補正し、
前記平均化手段の出力と前記積算手段の出力を第２の比較手段により比較し、
前記第２の比較手段の出力を判定結果記憶手段により所定の画面数蓄え、
前記判定結果記憶手段の内容より画像の相関を相関判定手段により判定して、
前記入力画像が３２プルダウン信号か２２プルダウン信号かビデオ信号かを判定することを特徴とするフィルムモード判定方法。
【請求項８】
請求項７に記載のフィルムモード判定方法において、第２の誤判定防止手段により、前記相関判定手段による出力の誤判定時にそのモードを維持することを特徴とするフィルムモード判定方法。
【請求項９】
請求項７に記載のフィルムモード判定方法において、パラメータ制御手段により前記第１の比較手段の閾値１を変えることができるようにしたことを特徴とするフィルムモード判定方法。
【請求項１０】
請求項７に記載のフィルムモード判定方法において、パラメータ制御手段により、前記平均化手段の平均化する画面数を変えることができるようにしたことを特徴とするフィルムモード判定方法。
【請求項１１】
請求項７に記載のフィルムモード判定方法において、パラメータ制御手段により３２プルダウン信号、２２プルダウン信号、ビデオ信号の判定画面数をそれぞれ変えることができるようにしたことを特徴とするフィルムモード判定方法。
【請求項１２】
請求項７に記載のフィルムモード判定方法において、パラメータ制御手段により前記第１の誤判定防止手段の補正値を変えることができるようにしたことを特徴とするフィルムモード判定方法。
【請求項１３】
コンピュータに、時間的に１画面ずつ連続して入力されるＩＰ変換されたプログレッシブ画像である入力画像に対し、前記入力画像の前画面の画像を画像記憶手段に蓄える手順と、
現画面の画像と前記前画面の画像との差分を差分計算手段により計算する手順と、
閾値１と前記差分計算手段の出力を比較した結果を第１の比較手段により出力する手順と、
前記第１の比較手段の出力を積算手段により１画面分積算して出力する手順を実行させるためのフィルムモード判定プログラムにおいて、
前記積算手段の出力を平均化手段により所定の画面数平均化する手順と、
前記平均化手段の出力値が異常値である場合に第１の誤判定防止手段により該値を適正な値に補正する手順と、
前記平均化手段の出力と前記積算手段の出力を第２の比較手段により比較する手順と、
前記第２の比較手段の出力を判定結果記憶手段により所定の画面数蓄える手順と、
前記判定結果記憶手段の内容より画像の相関を相関判定手段により判定する手順により、
前記入力画像が３２プルダウン信号か２２プルダウン信号かビデオ信号かを判定する手順を実行させることを特徴とするフィルムモード判定プログラム。
【請求項１４】
請求項１３に記載のフィルムモード判定プログラムにおいて、第２の誤判定防止手段により、前記相関判定手段による出力の誤判定時にそのモードを維持する手順を実行させることを特徴とするフィルムモード判定プログラム。
【請求項１５】
請求項１３に記載のフィルムモード判定プログラムにおいて、パラメータ制御手段により前記第１の比較手段の閾値１を変える手順を実行させることを特徴とするフィルムモード判定プログラム。
【請求項１６】
請求項１３に記載のフィルムモード判定プログラムにおいて、パラメータ制御手段により、前記平均化手段の平均化する画面数を変える手順を実行させることを特徴とするフィルムモード判定プログラム。
【請求項１７】
請求項１３に記載のフィルムモード判定プログラムにおいて、パラメータ制御手段により３２プルダウン信号、２２プルダウン信号、ビデオ信号の判定画面数をそれぞれ変える手順を実行させることを特徴とするフィルムモード判定プログラム。
【請求項１８】
請求項１３に記載のフィルムモード判定プログラムにおいて、パラメータ制御手段により前記第１の誤判定防止手段の補正値を変える手順を実行させることを特徴とするフィルムモード判定プログラム。
【請求項１９】
コンピュータに、時間的に１画面ずつ連続して入力されるＩＰ変換されたプログレッシブ画像である入力画像に対し、前記入力画像の前画面の画像を画像記憶手段に蓄える手順と、
現画面の画像と前記前画面の画像との差分を差分計算手段により計算する手順と、
閾値１と前記差分計算手段の出力を比較した結果を第１の比較手段により出力する手順と、
前記第１の比較手段の出力を積算手段により１画面分積算して出力する手順を実行させるためのフィルムモード判定プログラムを記録したコンピュータ読み取り可能な記録媒体において、
前記積算手段の出力を平均化手段により所定の画面数平均化する手順と、
前記平均化手段の出力値が異常値である場合に第１の誤判定防止手段により該値を適正な値に補正する手順と、
前記平均化手段の出力と前記積算手段の出力を第２の比較手段により比較する手順と、
前記第２の比較手段の出力を判定結果記憶手段により所定の画面数蓄える手順と、
前記判定結果記憶手段の内容より画像の相関を相関判定手段により判定する手順により、
前記入力画像が３２プルダウン信号か２２プルダウン信号かビデオ信号かを判定する手順を実行させることを特徴とするフィルムモード判定プログラムを記録したコンピュータ読み取り可能な記録媒体。
【請求項２０】
請求項１９に記載のフィルムモード判定プログラムを記録したコンピュータ読み取り可能な記録媒体において、第２の誤判定防止手段により、前記相関判定手段による出力の誤判定時にそのモードを維持する手順を実行させることを特徴とするフィルムモード判定プログラムを記録したコンピュータ読み取り可能な記録媒体。
【請求項２１】
請求項１９に記載のフィルムモード判定プログラムを記録したコンピュータ読み取り可能な記録媒体において、パラメータ制御手段により前記第１の比較手段の閾値１を変える手順を実行させることを特徴とするフィルムモード判定プログラムを記録したコンピュータ読み取り可能な記録媒体。
【請求項２２】
請求項１９に記載のフィルムモード判定プログラムを記録したコンピュータ読み取り可能な記録媒体において、パラメータ制御手段により、前記平均化手段の平均化する画面数を変える手順を実行させることを特徴とするフィルムモード判定プログラムを記録したコンピュータ読み取り可能な記録媒体。
【請求項２３】
請求項１９に記載のフィルムモード判定プログラムを記録したコンピュータ読み取り可能な記録媒体において、パラメータ制御手段により３２プルダウン信号、２２プルダウン信号、ビデオ信号の判定画面数をそれぞれ変える手順を実行させることを特徴とするフィルムモード判定プログラムを記録したコンピュータ読み取り可能な記録媒体。
【請求項２４】
請求項１９に記載のフィルムモード判定プログラムを記録したコンピュータ読み取り可能な記録媒体において、パラメータ制御手段により前記第１の誤判定防止手段の補正値を変える手順を実行させることを特徴とするフィルムモード判定プログラムを記録したコンピュータ読み取り可能な記録媒体。
【発明の詳細な説明】
【技術分野】
【０００１】
本発明は、入力された映像信号が映画フィルムから３２プルダウン方式により生成された画像かＣＧ（Computer Graphics）等の２２プルダウン方式により生成された画像かテレビカメラ等により作成された標準テレビジョン信号かを判定し、その判定信号を用いて前段のＩＰ変換（インターレース−プログレッシブ変換）の制御やレート変換回路の制御を行う映像信号のフィルムモード判定装置、判定方法、判定プログラム及び記録媒体に関する。
【背景技術】
【０００２】
テレビジョン信号には毎秒２４コマのフィルムから２コマをテレビジョン信号の５フレームに変換することにより毎秒６０フィールドの画像に変換する３２プルダウン信号とＣＧ等で作られることが多い毎秒３０コマの画像からＣＧの１コマを２フレームに変換することにより毎秒６０フィールドの画像に変換する２２プルダウン信号とテレビカメラ等により毎フィールド作成される標準テレビジョン信号（ビデオ信号）が含まれている。
通常は飛び越し走査（インターレース）された信号をそのままブラウン管もしくは液晶のＴＶ受像機で表示するが、近年、ＴＶ受像機の高画質化やパソコンの表示画像としてインターレース信号を順次走査（プログレッシブ）に変換（ＩＰ変換）することが多く行われている。
【０００３】
ＩＰ変換の場合、以前はあるインターレース信号を下のラインにコピーして表示し、あるいは、単純に連続した２枚のインターレース信号を蓄えてプログレッシブ画像として表示することが行われていたが、画像の垂直方向の解像度の低下を招くため、上記の３２プルダウン信号、２２プルダウン信号、ビデオ信号の各モードを自動的に検出して、各信号に応じた、プログレッシブ化の処理が行われている。
【０００４】
例えば、特許文献１に記載された様に現フィールドの映像信号とその１フィールド前と１フィールド後の映像信号の相関値よりモードを判定しプログレッシブ画像を作成するフィールド画像を切り替える方法や特許文献２に記載された様に現フィールドの映像信号とその１フィールド前の映像信号の相関値とその２フィールド前の映像信号の相関値を併用してモードを判定しプログレッシブ画像を作成するフィールド画像を切り替える方法や特許文献３に記載された様に２フィールド前の映像信号の相関値を使用して映像信号の輝度変化も考慮してプログレッシブ画像を作成するフィールド画像を切り替える方法が開示されている。
【特許文献１】特開平１１−２６１９７２号公報
【特許文献２】特開２００２−２９０９２７号公報
【特許文献３】特開２００２−３３０４０８号公報
【発明の開示】
【発明が解決しようとする課題】
【０００５】
しかしながら、上記の従来例の特許文献１においては、特許文献２にも記載されている様にフィールド間の差分を取ると、垂直高域に差分が出て、その差分を動き（動画）とみなさない為には、ある程度の余裕を持った比較レベルにする必要が有り、実際に画像が動いているのに動きが無いと判定し３２プルダウン画像を誤判定することが有る。
【０００６】
次に、従来例の特許文献２においては２フィールド前の映像信号の相関値を使用してプログレッシブ画像を作成するフィールド画像を切り替えるが、３２プルダウン画像が２フィールド遅延した画像と現フィールドの画像が５フィールドに１回同じ画像となる規則性を利用している為、特に入力画像が３２プルダウン画像からビデオ信号に変化した場合迅速に切り替えて処理することができない。
【０００７】
次に、従来例の特許文献３においても２フィールド前の映像信号の相関値を使用して映像信号の輝度変化も考慮してプログレッシブ画像を作成するフィールド画像を切り替えるが、特許文献２と同じく３２プルダウン画像が２フィールド遅延した画像と現フィールドの画像が５フィールドに１回同じ画像となる規則性を利用している為、特に入力画像が３２プルダウン画像からビデオ信号に変化した場合迅速に切り替えて処理することができない。
【０００８】
上記の従来例の様にデジタルテレビ等において行われているＩＰ変換後に安定してフィルムモード判定を行うことは困難であった。例えばＨＤＤ（Hard Disk Drive）レコーダ等でＩＰ変換されたプログレッシブ映像が表示装置（テレビ）に送られる場合がこのケースに相当する。
また、ＩＰ変換時にフィルム判定を行う方法は上記の特許等が開示されているが、ＩＰ変換時の該判定結果を後段の画作りに利用することは以下の理由（１）〜（３）により困難である。
（１）汎用の情報を出力するためにはＬＳＩに多くの出力ピンを用意する必要があり、コストアップになる。
（２）必要な情報のみを出力するピンをＬＳＩに用意するためには画作りごとにＬＳＩを作り直す必要がありコストアップになる。
（３）フィルム判定結果をレジスタ等に出力するためにはリアルタイム性が損なわれ、該情報を利用できない。
【０００９】
ＩＰ変換の際に用いられているフィルムモード判定方法（上記の特許等）をそのまま使用すればフレームメモリの枚数（メモリ量）やＬＳＩのピン数等のコストアップやリアルタイム性を満たせない為、後段の画作りの部分で独自にフィルムモード判定を行う必要がある。
【００１０】
上記の従来例を鑑み、本発明のフィルムモード判定装置は、ＩＰ変換した後の画像において現フレームの画像と１枚のフレームメモリ（１フレーム前の画像データ記憶用）を用いて画像間の相関を算出し、該結果（相関有り‘０’、相関無し‘１’）のみを蓄積することでメモリ量を削減することを目的とする。
また、画像の相関の判定を行う時に画像の種類や外からのノイズの量により刻々と変化する輝度の差分量のみを蓄えて過去数フレーム分の差分情報を相関の判定に活用することにより簡単な回路構成でフィルムモードの判定精度と判定速度の向上を得ることを目的とする。
さらに、上記の考えはＩＰ変換でフィルム判定を行う場合のフィルム判定精度の向上にも適用できる為、あわせて実施例で説明を行っていく。
【課題を解決するための手段】
【００１１】
本発明のフィルムモード判定装置は、時間的に１画面ずつ連続して入力されるＩＰ変換されたプログレッシブ画像である入力画像に対し、前記入力画像の前画面の画像を蓄える画像記憶手段と、現画面の画像と前記前画面の画像との差分を計算する差分計算手段と、
閾値１と前記差分計算手段の出力を比較した結果を出力する第１の比較手段と、前記第１の比較手段の出力を１画面分積算して出力する積算手段を搭載したフィルムモード判定装置において、前記積算手段の出力を所定の画面数平均化する平均化手段と、前記平均化手段の出力値が異常値である場合に該値を適正な値に補正する第１の誤判定防止手段と、前記平均化手段の出力と前記積算手段の出力を比較する第２の比較手段と、前記第２の比較手段の出力を所定の画面数蓄える判定結果記憶手段と、前記判定結果記憶手段の内容より画像の相関を判定する相関判定手段とを備え、前記入力画像が３２プルダウン信号か２２プルダウン信号かビデオ信号かを判定することを特徴とする。
【発明の効果】
【００１２】
本発明によれば、  前画面との相関を取り、さらに過去数枚の画面の相関値を平均化することにより画面１枚分の輝度等の画面情報を記憶する記憶装置（メモリ）と最小限の回路の追加により３２プルダウン画像、２２プルダウン画像、ビデオ画像の各モード判定の時間遅れを少なく、かつ高精度に判定することができる。
【発明を実施するための最良の形態】
【００１３】
以下、本発明のフィルムモード判定装置の実施の態様について図面を参照して説明する。
【実施例１】
【００１４】
図１は本発明の実施例１のフィルムモード判定装置を示す図である。図１において、フ
ィルムモード判定手段０に搭載されている１０１は入力画像の前画面の画像を蓄える画像
記憶手段、１０２は現画面の画像と前画面の差分を計算する差分計算手段、１０３は差分
計算手段の出力を閾値１と比較した結果を出力する第１の比較手段、１０４は第１の比較
手段の出力を１画面分積算して出力する積算手段である。フィルムモード判定手段０は、
更に、積算手段の出力を所定の画面数平均化する平均化手段１０５と平均化手段の出力と
積算手段の出力とを比較する第２の比較手段１０６と、第２の比較手段出力を所定の画面
数分蓄える判定結果記憶手段１０７と判定結果記憶手段の内容より画像の相関を判定する
相関判定手段１０８とを備えており、相関判定手段１０８により３２プルダウン画像、２
２プルダウン画像、ビデオ画像の判定結果を出力する。
【実施例２】
【００１５】
図２は本発明の実施例２のフィルムモード判定装置を示す図である。本発明のフィルムモード判定装置における画面が“フレーム信号”の場合について、以下、図２を用いて具体的に動作の説明を行っていく。
図２において１はインターレースで送られてくるテレビジョン信号をプログレッシブ信号に変換するＩＰ変換回路であり、２のフィルムモード判定回路は下記の回路から構成されている。
【００１６】
まず、２０はプログレッシブ信号の１フレーム分の画像（Ｙ信号やＲＧＢ信号）を蓄えるフレームメモリ、２１は現フレームの画像と前フレームの画像とを画素単位（もちろんフィルム判定動作に支障が無ければ精度をもっと荒くしても良い）で差分を計算する差分計算回路、２２は差分計算回路２１の出力を予め決めた固定の閾値１で比較してその結果を出力する第１の比較器、２３は第１の比較器の結果を１フレーム分蓄える累積加算器、２４は累積加算器出力を所定のフレーム数（Ｎａ）平均化する平均値計算回路、２５は２３の累積加算器の出力と２４の平均値計算回路の出力を比較する第２の比較器、２６は第２の比較器出力を所定のフレーム数（Ｎｂ）蓄える判定結果メモリ、２７は判定結果メモリの出力より３２プルダウン画像のパターンを検出して判定結果を出力する３２プルダウン判定回路、２８は判定結果メモリの出力より２２プルダウン画像のパターンを検出して判定結果を出力する２２プルダウン判定回路、２９は判定結果メモリの出力より３２，２２プルダウン以外の通常の画像（ビデオ画像）のパターンを検出して判定結果を出力するビデオ判定回路、３０は制御用マイコン（図示せず）等の指示により第１の比較器２２の閾値１、平均値計算回路２４の平均フレーム数（Ｎａ）、判定結果メモリ２６の蓄積フレーム数（Ｎｂ）、３２プルダウン判定回路２７の最小判定フレーム数（Ｎ１）、２２プルダウン判定回路２８の最小判定フレーム数（Ｎ２）、ビデオ判定回路２９の最小判定フレーム数（Ｎ３）を制御するパラメータ制御回路である。
【００１７】
次に、図２の各部の動作を説明していく。１のＩＰ変換回路は図５の様に３２プルダウンのインターレース信号の場合、隣接する画像の相関は高いが、元はＡという同じ画像でもＡｅ（Ｅｖｅｎ画像）とＡｏ（Ｏｄｄ画像）と表示されるラインの位置が違い、厳密には画素単位で輝度差等の画像に相関があるかどうかの比較は行えない。従って、先ほど述べた特許に記述されている様にインターレース信号と１フレーム遅延したインターレース信号が図５のように５フィールド毎に同じ信号となる規則性を利用してインターレース信号の３２プルダウン画像の判定を行っていることが多い。
【００１８】
この場合、３２プルダウン判定が５フィールドに１回しか行えず、判定を間違うことが多い為、多くの特許（特許文献２等）で書かれている様に誤動作を防ぐため数１０フィールドの判定結果を蓄積して判定していることが一般的に行われている。
今回の発明はまず厳密に画素単位で隣接フレーム画素の比較を行えるプログレッシブ画像にて３２プルダウン画像、２２プルダウン画像、ビデオ画像を判定する手法について行っていく。
【００１９】
次に、図２に今回の発明のフィルムモード判定回路２を示す。図４のフローチャートと共に説明を行っていく。図２でまず入ってきたプログレッシブ画像はフレームメモリ２０に１フレーム分の画像情報を蓄えられる。なお、画像情報とは各画素のＲＧＢ信号、輝度信号やそれらを数画素（２、４、８、１６画素等）平均化した情報をさす。本実施例では説明の為、“輝度信号を画素単位にメモリする”を例に挙げて説明を行っていく。（Ｓ１０１）差分計算回路２１によりフレームメモリ２０に蓄えられた前フレームの輝度信号と現フレームの輝度信号を画素単位で差分を取っていく。差分も“絶対値”と“２乗値”等が考えられるが“絶対値”で説明を進める。（Ｓ１０２）
【００２０】
輝度差の絶対値を第１の比較器２２にて閾値１（固定値。パラメータ制御回路３０にて変えられる）と比較する。判定結果は輝度差の絶対値が閾値１以上なら‘１’、閾値１より小さければ‘０’とする。（Ｓ１０３）
累積加算器２３は例えば上記判定結果が‘１’の時カウントＵＰしていくカウンタ回路にて１フレーム分の判定結果を蓄積していく。当然、このカウンタはフレーム単位で位置を表すフレーム同期信号等の信号で、フレーム単位でリセットする必要が有るのは言うまでも無い。（Ｓ１０４）
累積加算器２３の出力は次の平均値計算回路２４に送られ常時過去数フレーム（Ｎａ：Ｎａはパラメータ制御回路３０により可変できる）の累積加算器出力の平均値の計算を行っている。（Ｓ１０５）
【００２１】
ここで図５の様にＩＰ変換した３２プルダウン信号（プログレッシブ信号）を図８の様に相関の判定を行っていく手法について述べていく。
累積加算器の出力（前フレームの同位置の画像との相関が無い画素数）が図８の様になる時で、閾値（閾値２）の平均化するフレーム数が５フレームの場合の相関判定結果の一例を挙げる。図８で、ケース１は毎秒２４コマの画像で、前フレームと現フレームで画面全体が動いているケース、ケース３は毎秒２４コマの画像で、前フレームと現フレームで画面の一部しか動いていないケース、ケース４はケース３と同様に動きが部分的で、かつ、前段のプルダウン画像生成時（本願には記載無し）誤判定等によるノイズが発生した場合である。
【００２２】
図８において、ＳＤ（７２０×４８０）信号で画素数が最大３４５６００なので、前フレームの同位置の画像との相関が無い画素数は最大３４５６００となる。又、画像がＡ，Ａ，Ｂ，Ｂ，Ｂ，Ｃ，Ｃ，Ｄ，Ｄ，Ｄ（Ａの前画像とＡの相関は無し）の順番に来た場合、前フレームの同位置の画素との相関が無い画素数は同じ画像なら０に近い値となる。
【００２３】
ここで、第２の比較器２５の出力（判定結果）は相関有りを‘０’、相関無しを‘１’で定義すると、１０フレーム分の判定結果は、前フレームの同位置の画素との相関が無い画素数の大小に関わらず図８の様に共に
“１０１００１０１００”となる、即ち、前フレームの同位置の画素との相関が無い画素数の変化に追随して安定して相関の判定ができていることが分かる。なお、平均化するフレーム数は（Ｎａ）はパラメータ制御回路３０にて可変できるものとするがここではＮａ＝５とする。（Ｓ１０６）
【００２４】
なお、画像にノイズやインターレース変換した時の誤差（これもノイズと同じ）が含まれても平均化されることにより閾値２の値が大幅に変動することは少なくなる。
上記の相関の有無の判定結果は判定結果メモリ２６に所定フレーム数蓄えられるこのメモリ情報としては１ｂｉｔ（‘０’又は‘１’）なので数１０フレーム分持っても回路規模に影響無いが、例えば、５フレーム分の判定結果を蓄えるメモリと３２プルダウン画像のパターン“１０１００”となったらＨとなる様なフラグ（３２フラグ）と併用しても良い。
判定結果を蓄えるメモリのフレーム数（Ｎｂ）は制御回路３０にて可変できるが、今回の従来例では説明の為、５フレーム分の判定結果を蓄えるメモリとフラグ（３２フラグ）を使用した場合を説明する（Ｎｂ＝５）。（Ｓ１０６）
【００２５】
３２プルダウン判定回路２７は判定結果メモリの３２フラグを監視していて３２フラグが連続してＨとなる回数（Ｎ１）をモニタしている。Ｎ１＝１の場合、５フレームで、Ｎ１＝２の場合、１０フレームで、３２プルダウン画像の開始の判定を行う。逆に、３２プルダウン信号の終了時は判定結果メモリの出力をモニタしていて“１０１００”の‘０’の位置が‘１’となったら、次のフレームで３２プルダウン画像が終了したと判定する。３２プルダウン判定回路は３２プルダウン画像の開始から終了まで出力信号（Ｌ：３２プルダウン信号でない、Ｈ：３２プルダウン信号）を出力する。（Ｓ１０７）
【００２６】
次に、図６の様にＩＰ変換した２２プルダウン信号（プログレッシブ信号）を図８の様に相関の判定を行っていく手法について図９を用いて述べていく。累積加算器の出力（前フレームの同位置の画像との相関が無い画素数）が図９の時、閾値（閾値２）の平均化するフレーム数が６フレームの場合の相関判定結果の一例を挙げる。
【００２７】
図９において各ケースの定義とＳＤの画素数は同じなので、その説明は省略する。
ここで、画像がＡ，Ａ，Ｂ，Ｂ，Ｃ，Ｃ，Ｄ，Ｄ，Ｅ，Ｅ（Ａの前画像とＡの相関は無し）の順番に来た時、１０フレーム分の判定結果は図９の様に前フレームの同位置の画素との相関が無い画素数の大小に関わらず共に“１０１０１０１０１０”となる。
即ち、前フレームの同位置の画素との相関が無い画素数の変化に追随して安定して相関の判定ができていることが分かる。なお、平均化するフレーム数は（Ｎａ）はパラメータ制御回路３０にて可変できるものとするがここではＮａ＝６とする。
【００２８】
なお、画像にノイズやインターレース変換した時の誤差（これもノイズと同じ）が含まれても平均化されることにより閾値２の値が大幅に変動することは少なくなる。上記の相関の有無の判定結果は判定結果メモリ２６に所定フレーム数蓄えられるこのメモリ情報としては１ｂｉｔ（‘０’又は‘１’）なので数１０フレーム分持っても回路規模に影響無いが、例えば、６フレーム分の判定結果を蓄えるメモリと２２プルダウン画像のパターン“１０１０１０”となったらＨとなる様なフラグ（２２フラグ）と併用しても良い。
【００２９】
判定結果を蓄えるメモリのフレーム数（Ｎｂ）は３０：パラメータ制御回路にて可変できるが、今回の従来例では説明の為、６フレーム分の判定結果を蓄えるメモリとフラグ（２２フラグ）を使用した場合を説明する（Ｎｂ＝６）。
２２プルダウン判定回路２８は判定結果メモリの２２フラグを監視していて２２フラグが連続してＨとなる回数（Ｎ２）をモニタしている。Ｎ２＝１の場合、６フレームで、Ｎ２＝２の場合、１２フレームで、２２プルダウン画像の開始の判定を行う。逆に、２２プルダウン信号の終了時は判定結果メモリの出力をモニタしていて“１０１０１０”の‘０’の位置が‘１’となったら、次のフレームで２２プルダウン画像が終了したと判定する。２２プルダウン判定回路は２２プルダウン画像の開始から終了まで出力信号（Ｌ：２２プルダウン信号でない、Ｈ：２２プルダウン信号）を出力する。（Ｓ１０８）
【００３０】
次に、図１０の様に入力信号がTVカメラで撮影された通常の信号（ビデオ信号）をIP変換したビデオ信号（プログレッシブ信号）を図８の様に相関の判定を行っていく手法について図１０を用いて述べていく。
【００３１】
その前にＩＰ変換について図７を用いて簡単に説明する。
まず、図７のＩＰ変換回路１での処理は図５、図６の３２及び２２プルダウン画像のＩＰ変換回路の処理と違う。例えば、Ａとａで動きが無い場合、ａの画像をｏｄｄとｅｖｅｎフィールドでそのまま表示（ａ＋ａ）し、Ａとａで動きが有る場合はその動きの量に応じてＡとａの画像を加算してプログレッシブ画像を作成していく。
【００３２】
ここで、累積加算器の出力（前フレームの同位置の画像との相関が無い画素数）が、図１０の時、閾値（閾値２）の平均化するフレーム数が５フレームの場合の相関判定結果の一例を挙げる。画像がＡ，Ｂ，Ｃ，Ｄ，Ｅ，Ｆ，Ｇ，Ｈ，Ｉ，Ｊ（Ａの前画像とＡの相関は無し）の順番に来た時、１０フレーム分の判定結果は図１０の様に前フレームの同位置の画素との相関が無い画素数の大きさにより多少変化するがいずれにしても３２プルダウン、２２プルダウン画像の規則性（“１０１００”や“１０１０１０”）が無いことが分かる。
ビデオ判定回路２９は判定結果メモリ２６の３２フラグ及び２２フラグを監視していて３２や２２フラグがＨとなるかどうかをモニタしている。
３２や２２フラグがＬで５（１０）フレーム分の判定結果が“１０１００（１０１００１０１００）”、６（１２）フレーム分の判定結果が“１０１０１０（１０１０１０１０１０１０）”となっていない場合、ビデオ判定回路は出力信号（Ｌ：ビデオ信号でない、Ｈ：ビデオ信号である）を出力する。（Ｓ１０９）
なお、ビデオの場合もＮａ、Ｎｂ、最小判定フレーム数（Ｎ３）を３０：パラメータ制御回路にて調整できる。
【００３３】
以上述べてきた、３２プルダウン判定出力、２２プルダウン判定出力、ビデオ判定出力は回路の他の箇所で色々と利用できる。
例えば、３２、２２、ビデオの各判定結果の出力信号をＩＰ変換回路に戻して、ＩＰ変換回路が、図５の３２プルダウン画像の切り替わりまで３２プルダウンから抜けても３２プルダウン処理を行い誤動作（画像のコーミング等の発生）するのを防ぎ、ビデオ又は２２プルダウン処理を行う為に活用できる。また、プログレッシブ画像からフィルムモード判定を行うことができる為、前段のＩＰ変換の情報を無理に使用しなくても６０Ｐの画像の同一画像の箇所（３２及び２２プルダウン画像）をリアルタイムで検出し、該当箇所の画像を削除したり前後の画像から画像を作成して毎秒６０フレームや毎秒１２０フレームの滑らかに動く動画像を作成することにも活用できる。
【実施例３】
【００３４】
次に、本発明のフィルムモード判定装置の他の実施例の説明を行っていく。図３は本発明の実施例３のフィルムモード判定装置を示す図である。図３は、下記以外は図２と同じ為、他の説明は省略する。図３において３１は、誤判定防止回路１、３２は、誤判定防止回路２である。
誤判定防止回路１の機能は、平均値計算回路２４の出力に下限（ＮＬ）と上限（ＮＨ）を設けることに有る。
【００３５】
まず、ＮＬの動作は例えば３２プルダウン画像で動きが少ない場合に前フレーム同位置の画素との相関が無い画素数、閾値２、判定結果は（（  ）内は前フレームとの輝度差、〔  〕内は輝度差の５フレーム平均値（閾値２）
A(400)  ,A(0)    ,B(320)  ,B(0)    ,B(0)    ,C(400)  ,C(0) 
A〔200〕,A〔200〕,B〔240〕,B〔180〕,B〔144〕,C〔144〕,C〔144〕
‘１’   ‘０’    ‘１’  ‘０’    ‘０’    ‘１’  ‘０’
となるが、ノイズが全体に300載った場合、
A(700)   ,A(300)  ,B(620)   ,B(300)   ,B(300)  ,C(700)  ,C(300)
A〔350〕 ,A〔500〕,B〔540〕 ,B〔480〕 ,B〔444〕,C〔444〕,C〔444〕
‘１’   ‘０’    ‘１’    ‘０’    ‘０’   ‘１’  ‘０’
で、３２プルダウン判定に問題無いが、ノイズがＡ〜Ｃ（０）の箇所のみ300載った場合には
A(400)   ,A(300)   ,B(320)  ,B(300)   ,B(300)   ,C(400)   ,C(300)
A〔200〕  ,A〔350〕,B〔340〕,B〔330〕  ,B〔405〕,C〔324〕 ,C〔324〕
‘１’   ‘０’    ‘０’    ‘０’    ‘０’    ‘１’   ‘０’
となり、３２プルダウン画像と判定しなくなる。
これを防ぐ為に、例えばNL=２０００として5フレーム平均値がそれを下回ったらNLの値に固定すれば
A(400)   ,A(0)     ,B(320)   ,B(0)    ,B(0)      ,C(400)  ,C(0)   及び
A(700)   ,A(300)  ,B(620)   ,B(300)   ,B(300)    ,C(700)  ,C(300) 及び
A(400)   ,A(300)   ,B(320)  ,B(300)   ,B(300)    ,C(400)   ,C(300) の時
A〔2000〕,A〔2000〕,B〔2000〕,B〔2000〕,B〔2000〕,C〔2000〕C〔2000〕
‘０’   ‘０’    ‘０’    ‘０’    ‘０’    ‘０’    ‘０’
なので、静止画と判定して、ノイズによりたまたま“１０１００”のパターンを拾ったり、本来‘０’の位置に‘１’と判定して例えば“１１１００”となって誤判定することを防ぐ。
なお、モード判定は本来‘１’の位置に‘０’が立っている場合、静止画に近い（前フレームの同位置の画素との相関が無い画素数が少ない）と判定し、その前に決定したモードを継続する。
【００３６】
また、平均値計算回路２４の出力の上限（ＮＨ）の動作はビデオ画像は３２プルダウン画像、２２プルダウン画像と比較して、前フレームの同位置の画素との相関が無い画素数が大きくて、変化が少ないことより下記の様な動きをする。例えば（５フレーム平均の時）
A(100000)  ,a(95000)  ,B(90000)   ,b(88000)   ,C(90000)  ,c(93000) の時
A〔50000〕 ,a〔97500〕,B〔95000〕 ,b〔93250〕 ,C〔92600〕,c〔91250〕
‘１’     ‘０’      ‘０’      ‘０’      ‘０’      ‘１’
上記の画像の前フレームの同位置の画素との相関が無い画素数がたまたま下記の時３２プルダウン画像として誤判定する。
A(90000)   ,a(88000)  ,B(90000)   ,b(88000)   ,C(88000)  ,c(90000) の時
A〔45000〕 ,a〔89000〕,B〔89300〕 ,b〔89000〕 ,C〔88800〕,c〔89000〕
‘１’       ‘０’     ‘1’       ‘０’      ‘０’      ‘１’
これを防ぐ為、NH=５００００とすると下記の様な判定結果となり間違って３２プルダウン画像と誤判定することは無くなる。
A(90000)   ,a(88000)  ,B(90000)   ,b(88000)   ,C(88000)  ,c(90000) の時
A〔45000〕 ,a〔50000〕,B〔50000〕 ,b〔50000〕 ,C〔50000〕,c〔50000〕
‘１’      ‘１’     ‘１’      ‘１’    ‘１’       ‘１’
【００３７】
以上述べてきた様にＮＬ、ＮＨはノイズの影響等でビデオ画像を間違って３２プルダウン画像と誤判定することを防ぐ為に設定するが、ビデオ画像を間違って２２プルダウン画像と誤判定することを防ぐ為にも有効なのは言うまでもない。
【００３８】
次に、図３の３２の誤判定防止回路２について説明を行っていく。
誤判定防止回路２の機能は３２プルダウン画像と２２プルダウン画像の判定を安定させる為である。例えば、３２プルダウン画像なら下記の様になるが
入力画像    A     ,A     ,B     ,B     ,B     ,C     ,C     ,D     ,D     ,D
判定結果  ‘1’、‘0’、‘1’、‘0’、‘0’、‘1’、‘0’、‘1’、‘0’、‘0’
上記で、本来’０‘の位置で’１‘と誤判定した場合、例えば
入力画像    A     ,A     ,A     ,B     ,B     ,C     ,C     ,C     ,D     ,D
判定結果  ‘1’、‘0’、‘1’、‘1’、‘0’、‘1’、‘0’、‘0’、‘1’、‘0’
×
３番目のＡの位置で誤判定（×）すると本来は最初のＢの位置で３２プルダウン画像ではなくビデオ画像と判断するが、２番目のＢ以降が正しく判定されればそのまま３２プルダウン画像との判定を継続する。
ただし、下記の様に３２プルダウン画像のつなぎ目で入力画像の規則性が崩れた場合、ここで規則性が崩れる。
入力画像    A,     A,     A,     B,     B,     C,     C,     C,     D     ,D
判定結果  ‘1’、‘0’、‘0’、‘1’、‘0’、‘1’、‘0’、‘0’、‘1’、‘0’
入力画像    D     ,E     ,E     ,F     ,F     ,F     ,G     ,G     ,H     ,H
判定結果  ‘0’、‘1’、‘0’、‘1’、‘0’、‘0’、‘1’、‘0’、‘1’、‘0’
×                                 ×
上記の場合、Ｇの一枚目で規則性が崩れていることに気づくがその前６フレームに規則性が有ることより３２プルダウン画像であるとの判定を継続する。又、下記の様に
入力画像    A     ,A     ,A     ,B     ,B     ,C     ,D     ,E     ,F     ,G
判定結果  ‘1’、‘0’、‘0’、‘1’、‘0’、‘1’、‘1’、‘1’、‘1’、‘1’
×     ×
誤判定が２回で前５フレームに規則性が無いことより３２プルダウン画像判定を解除しビデオ画像であると判定し、３２プルダウン画像であるとの判定を解除する。ここで、２２プルダウン画像も同様に
入力画像   A     ,A     ,B     ,B     ,C     ,C     ,D     ,D     ,E     ,E
判定結果 ‘1’、‘1’、‘1’、‘0’、‘1’、‘0’、‘1’、‘0’、‘1’、‘0’
×
誤判定が１回なら２２プルダウン画像との判定を継続する。
入力画像   A     ,A     ,B     ,C     ,C     ,D     ,D     ,E     ,E     ,F
判定結果 ‘1’、‘0’、‘1’、‘1’、‘0’、‘1’、‘0’、‘1’、‘0’、‘1’
×            ×
誤判定が２回だが前３フレームに規則性が有ることより２２プルダウン画像であるとの判定を継続する。
入力画像    A     ,A     ,B     ,B     ,C     ,c     ,D     ,d     ,E     ,e
判定結果  ‘1’、‘0’、‘1’、‘0’、‘1’、‘1’、‘1’、‘1’、‘1’、‘1’
×            ×
誤判定が２回で前３フレームに規則性が無いことにより２２プルダウン画像判定を解除しビデオ画像であると判定する。
【００３９】
以上述べてきた様な機能を誤判定防止回路２に搭載すれば、ノイズ等の影響による各モード継続の誤判定を最小限に防ぎ、３２プルダウン画像、２２プルダウン画像、ビデオ画像を安定して判定できる。
【００４０】
以上の様に、ＩＰ変換後に３２プルダウン画像、２２プルダウン画像、ビデオ画像を判定する手法についていくつか述べてきたが、本発明のアルゴリズムは現フィードと前フィールドの輝度差を比較する時にフィールドの差を吸収する手段を設ければＩＰ変換時にも適用可能である。以下、その手法について述べる。
【実施例４】
【００４１】
図１１は本発明の実施例１のフィルムモード判定装置を示す図である）。図１１は、今回のフィルム判定装置を以上述べてきた様なプログレッシブ信号では無く、インターレース信号に適用した場合を示している。インターレース信号は現フィールドの画素と前フィールドの画素の位置が違う為、そのままでは現フィードと前フィールドの画素単位の輝度差を取ることができないが、フィールドの差を吸収する吸収手段、例えば、特許文献２で述べている様に現フィールド用に３３の垂直方向ＬＰＦ１（Low Pass Filter 1）と前フィールド用に３４の垂直方向ＬＰＦ２を２１：差分計算回路の直前に挿入し、ライン方向に輝度のデータを分散させる様にして現フィードと前フィールドの輝度差を取る様にすれば良い。
【００４２】
なお、この場合、前フィールドの画像を記憶するのはフィールドメモリ３５となる。
しかし、特許文献２で述べている様に、元々プログレッシブ信号の様に画素単位で比較できない状態を解消する為、強引にフィルタを入れて比較する様にしている為、フィールド間の差分を取ると、静止画であっても垂直高域に差分が出てしまい、その垂直高域の差分を動き（動画）とみなさない為には、ある程度の余裕を持った比較レベルにする必要があり、実際に垂直高域でなくても信号自体が動いている時にその動きを検出できない場合があり、その結果として、３２プルダウン判定を抜けているのに抜けていると判定できずまだ３２プルダウンと誤判定してしまうことが有る。
【００４３】
そこで今回のフィルムモード判定装置を図５〜図７のインターレース画像に適用し、図１２の様にインターレースの３２プルダウン画像、２２プルダウン画像で、垂直方向のＬＰＦを入れた後でも同一画像のｏｄｄとｅｖｅｎで画像の半分の値となる様な大きな輝度差が出る様な場合でも、相関の判定結果が３２プルダウンの場合“１０１００１０１００”、２２プルダウンの場合“１０１０１０１０１０”となりフィルム判定が誤判定せず、固定の閾値より安定して相関判定できていることが分かる。
【００４４】
従って、今回の発明のフィルムモード判定装置はＩＰ変換時のフィルムモード判定時にフィールドの差を吸収する吸収手段（例えば、それぞれ垂直方向のＬＰＦを挿入）を適用した後の前フィールドとの輝度差の判定誤差が大きい場合に、ＩＰ変換時のフィルムモード判定を安定させる手法としても適用できる。
【００４５】
以下、本発明の態様（本発明１〜１０）について列挙する。
本発明１のフィルムモード判定装置は、時間的に１画面ずつ連続して入力される入力画像に対し、前記入力画像の前画面の画像を蓄える画像記憶手段と、現画面の画像と前記前画面の画像との差分を計算する差分計算手段と、閾値１と前記差分計算手段の出力を比較した結果を出力する第１の比較手段と、前記第１の比較手段の出力を１画面分積算して出力する積算手段を搭載し、前記積算手段の出力を所定の画面数平均化する平均化手段と、前記平均化手段の出力と前記積算手段の出力を比較する第２の比較手段と、前記第２の比較手段の出力を所定の画面数蓄える判定結果記憶手段と、前記判定結果記憶手段の内容より画像の相関を判定する相関判定手段とを備え、前記入力画像が３２プルダウン信号か２２プルダウン信号かビデオ信号かを判定することを特徴とするフィルムモード判定装置。
本発明２のフィルムモード判定装置は、本発明１に記載のフィルムモード判定装置において、第１の誤判定防止手段を設け、前記平均化手段の出力値が異常値である場合に該値を適正な値に補正することを特徴とする。
本発明３のフィルムモード判定装置は、本発明１に記載のフィルムモード判定装置において、前記相関判定手段の出力の誤判定時にそのモードを維持する第２の誤判定防止手段を設けることを特徴とする。
本発明４のフィルムモード判定装置は、本発明１に記載のフィルムモード判定装置において、パラメータ制御手段を設け、前記パラメータ制御手段により前記第１の比較手段の閾値１を変えることができるようにしたことを特徴とする。
本発明５のフィルムモード判定装置は、本発明１に記載のフィルムモード判定装置において、パラメータ制御手段を設け、前記平均化手段の平均化する画面数を変えることができるようにしたことを特徴とする。
本発明６のフィルムモード判定装置は、本発明１に記載のフィルムモード判定装置において、パラメータ制御手段を設け、前記パラメータ制御手段により３２プルダウン信号、２２プルダウン信号、ビデオ信号の判定画面数をそれぞれ変えることができるようにしたことを特徴とする。
本発明７のフィルムモード判定装置は、本発明２に記載のフィルムモード判定装置において、パラメータ制御手段を設け、前記パラメータ制御手段により前記第１の誤判定防止手段の補正値を変えることができるようにしたことを特徴とする。
本発明８のフィルムモード判定装置は、本発明１乃至本発明７のいずれかに記載のフィルムモード判定装置において、前記入力画像がプログレッシブ画像であることを特徴とする。
本発明９のフィルムモード判定装置は、本発明１乃至本発明７のいずれかに記載のフィルムモード判定装置において、前記入力画像がインターレース画像であり、前フィールドと現フィールドの差分を計算する際にフィールドの違いを吸収する吸収手段を持つことを特徴とする。
本発明１０のフィルムモード判定装置は、本発明９に記載のフィルムモード判定装置において、前記吸収手段として現フィールド用に第１の垂直方向ＬＰＦ、前フィールド用に第２の垂直方向ＬＰＦを持ち前記入力画像がインターレース信号でも入力画像が３２プルダウン信号か２２プルダウン信号かビデオ信号かを判定できることを特徴とする。
【００４６】
以上のように構成された本発明１〜１０は、以下の作用効果を奏するものである。
本発明１のフィルムモード判定装置は、前画面との相関を取り、さらに過去数枚の画面の相関値を平均化することにより画面１枚分の輝度等の画面情報を記憶する記憶装置（メモリ）と最小限の回路の追加により３２プルダウン画像、２２プルダウン画像、ビデオ画像の各モード判定の時間遅れを少なく、かつ高精度に判定できる。
本発明２は平均化手段の出力が小さい場合のノイズによる誤判定と大きい場合のモードの誤判定を防ぐことができる。
本発明３はノイズ等の影響による突発的な誤判定はモードを維持することによりモード判定の動作を安定させることができる。
本発明４はパラメータ制御手段により第１の比較手段の閾値１を入力画像の品質により画像の相関の有無の感度（積算回路の個数）を変えられる様にしたので、小さくすれば感度が上がり、大きくすれば感度は下がる。
本発明５はパラメータ制御手段により平均化する手段の平均化する画面数を入力画像の輝度差の変化の大小により変えられる様にしたので、搭載している機器の画像全体の輝度変化が大きい場合は平均化する画面数を減らし、画像全体の輝度変化小さい場合は平均化する画面数を増やすことができる。
本発明６はパラメータ制御手段により３２プルダウン信号、２２プルダウン信号、ビデオ信号のそれぞれの判定画面数を変えることができる様にしたので、誤判定が多い場合は判定フレーム数を増やし、少ない場合はモード判定時間を速くする為、判定フレーム数を減らすことができる。
本発明７はパラメータ制御手段により本発明２の平均化手段の出力が小さい場合のモードの誤判定と大きい場合のモードの誤判定を防ぐ為のパラメータを可変にできる様にしたので、入力画像の品質や機器の状態（ノイズの大小等）により変える必要があることが予想されるパラメータを変えて判定精度を上げることができる。
本発明８はフィルムモード判定装置をプログレッシブ画像に適用することにより、ＩＰ変換した後の画像において現フレームの画像と１枚のフレームメモリ（１フレーム前の画像データ記憶用）を用いて画像間の相関を算出し、該結果（相関有り‘０’、相関無し‘１’）のみを蓄積することでメモリ量を削減することができる。又、３２プルダウン判定が５フィールドに１回しか行えないことが多く、一般的なＩＰ変換時のフィルムモード判定より速く３２プルダウン判定を抜けることができる。
本発明９はＩＰ変換回路に適用する場合に、フィールド間の差分を吸収する手段を設けてインターレース画像に適用することにより、吸収できない差分を平均化回路を使用して吸収すれば、ＩＰ変換回路におけるフィルム判定動作がより安定する。
本発明１０はＩＰ変換回路に適用する場合に、垂直方向のＬＰＦを設けて前フィールドとの差分を取る時に、静止画であっても垂直高域に差分が出る不具合を平均化回路を使用して吸収すれば、ＩＰ変換回路におけるフィルム判定動作がより安定する。
【００４７】
また、本発明は、本発明１〜１０のフィルムモード判定装置に対応して、フィルムモード判定方法、コンピュータに各手順を実行させるフィルムモード判定プログラム及びコンピュータに各手順を実行させるフィルムモード判定プログラムを記録したコンピュータ読み出し可能な記録媒体の発明として夫々構成することが可能である。
【図面の簡単な説明】
【００４８】
【図１】図１は、本発明の実施例１のフィルムモード判定装置を示す図である。
【図２】図２は、本発明の実施例２のフィルムモード判定装置を示す図である。
【図３】図３は、本発明の実施例３のフィルムモード判定装置を示す図である。
【図４】図４は、本発明のフィルムモード判定回路動作フローチャートである。
【図５】図５は、３２プルダウン信号（インターレース信号）の規則性の図面である。
【図６】図６は、２２プルダウン信号（インターレース信号）の規則性の図面である。
【図７】図７は、ビデオ信号（インターレース信号：規則性無し）の図面である。
【図８】図８は、３２プルダウン画像の輝度差、閾値２、相関判定結果の一例である。
【図９】図９は、２２プルダウン画像の輝度差、閾値２、相関判定結果の一例である。
【図１０】図１０は、ビデオ画像の輝度差、閾値２、相関判定結果の一例である。
【図１１】図１１は、本発明の実施例１のフィルムモード判定装置を示す図である。（インターレース画像に適用した場合）
【図１２】図１２は、３２プルダウン画像／２２プルダウン画像／ビデオ画像の輝度差、閾値２、相関判定結果の一例である。（インターレース画像に適用した場合）
【符号の説明】
【００４９】
０ フィルムモード判定手段
１    ＩＰ変換回路
２    フィルムモード判定回路
２０    フレームメモリ
２１    差分計算回路
２２    第１の比較器
２３    累積加算器
２４    平均値計算回路
２５    第２の比較器
２６    判定結果メモリ
２７    ３２プルダウン判定回路
２８    ２２プルダウン判定回路
２９    ビデオ判定回路
３０    パラメータ制御回路
３１    誤判定防止回路１
３２    誤判定防止回路２
３３    垂直方向ＬＰＦ１
３４    垂直方向ＬＰＦ２
３５    フィールドメモリ
１０１    画像記憶手段
１０２    差分計算手段
１０３    第１の比較手段
１０４    積算手段
１０５    平均化手段
１０６    第２の比較手段
１０７    判定結果記憶手段
１０８    相関判定手段
１０９    パラメータ制御手段
【図１】
0004383477.tif 000002
【図２】
0004383477.tif 000003
【図３】
0004383477.tif 000004
【図４】
0004383477.tif 000005
【図５】
0004383477.tif 000006
【図６】
0004383477.tif 000007
【図７】
0004383477.tif 000008
【図８】
0004383477.tif 000009
【図９】
0004383477.tif 000010
【図１０】
0004383477.tif 000011
【図１１】
0004383477.tif 000012
【図１２】
0004383477.tif 000013